(57)【要約】【課題】  車両遠隔始動装置を操作にウェアラブル情報端末器を使用できるようにする。【解決手段】車両エンジンの遠隔始動信号を短距離無線通信によって発信可能な情報端末と、上記短距離無線通信による遠隔始動信号の受信部と、当該受信部で受信した上記遠隔始動信号を長距離無線信号に変換する変換部と、上記長距離無線信号に変換した遠隔始動信号を長距離無線通信で発信する発信部と、を有する中継器と、車両エンジンの始動回路に接続されるとともに、上記長距離無線通信による遠隔始動信号の受信部と、当該受信部で受信した上記遠隔始動信号に基づき、車両エンジンを始動可能にする手段を有する車両遠隔始動装置において、上記情報端末として、身体に装着可能に構成されているウェアラブル情報端末器を用いる。【選択図】図２
2015216634.tif 000002
【特許請求の範囲】
【請求項１】
車両エンジンの遠隔始動信号を短距離無線通信によって発信可能な情報端末と、上記短距離無線通信による遠隔始動信号の受信部と、当該受信部で受信した上記遠隔始動信号を長距離無線信号に変換する変換部と、上記長距離無線信号に変換した遠隔始動信号を長距離無線通信で発信する発信部と、を有する中継器と、車両エンジンの始動回路に接続されるとともに、上記長距離無線通信による遠隔始動信号の受信部と、当該受信部で受信した上記遠隔始動信号に基づき、車両エンジンを始動可能にする手段を有する車両遠隔始動装置において、上記情報端末が、身体に装着可能に構成されていることを特徴とするウェアラブル情報端末器を用いた車両遠隔始動装置。
【請求項２】
上記情報端末が、上記遠隔始動信号の制御用ソフトウェアを外部から取得する手段を有することを特徴とする、請求項１記載のウェアラブル情報端末器を用いた車両遠隔始動装置。
【請求項３】
上記情報端末と上記中継器と上記車載機との間は、双方向通信が可能であるように構成されている請求項１記載のウェアラブル情報端末器を用いた車両遠隔始動装置。
【請求項４】
上記情報端末が腕時計型をしていて身体に装着可能である請求項１から請求項３の何れかに記載のウェアラブル情報端末器を用いた車両遠隔始動装置。
【請求項５】
上記情報端末が眼鏡型をしていて身体に装着可能である請求項１から請求項３の何れかに記載のウェアラブル情報端末器を用いた車両遠隔始動装置。
【請求項６】
上記情報端末と上記中継器との間の通信を行う手段が短距離無線通信であり、上記中継器と上記車両遠隔始動装置との間の通信を行う手段が長距離無線通信であることを特徴とする請求項１記載のウェアラブル情報端末器を用いた車両遠隔始動装置。
【請求項７】
車両エンジンの遠隔始動信号を短距離無線通信によって発信可能な第１の情報端末と、上記第１の情報端末からの短距離無線通信に基づいて遠隔始動信号を短距離無線通信により発信可能な第２の情報端末と、上記短距離無線通信による遠隔始動信号の受信部と、当該受信部で受信した上記遠隔始動信号を長距離無線信号に変換する変換部と、上記長距離無線信号に変換した遠隔始動信号を長距離無線通信で発信する発信部と、を有する中継器と、車両エンジンの始動回路に接続されるとともに、上記中継器からの長距離無線通信による遠隔始動信号の受信部と、当該受信部で受信した上記遠隔始動信号に基づき、車両エンジンを始動可能にする手段を有する車両遠隔始動装置において、上記第１の情報端末が、身体に装着可能に構成されていることを特徴とするウェアラブル情報端末器を用いた車両遠隔始動装置。
【請求項８】
車両エンジンの始動信号を短距離無線信号により上記中継器に発信可能な情報端末を複数台用いることを特徴とする請求項１記載のウェアラブル情報端末を用いた車両遠隔始動装置。
【請求項９】
車両エンジンの始動信号を短距離無線信号により上記第２の情報端末に発信可能な第１の情報端末を複数台用いることを特徴とする請求項７記載のウェアラブル情報端末器を用いることを特徴とする車両遠隔始動装置。
【発明の詳細な説明】
【技術分野】
【０００１】
本発明は、ウェアラブル情報端末器を用いて、車両エンジンのスターターやカーセキュリティーシステムの遠隔操作を行うことができる車両遠隔始動装置に関する。
【背景技術】
【０００２】
従来の車両遠隔始動装置の基本的構成を図４に示す。同図において、４１は長距離無線通信（特定小電力電波を用いた無線通信）による遠隔始動信号の受信部、４２は受信した上記遠隔始動信号に基づき車両のエンジンを始動可能にする手段を有する車載機、４３は前記車載機４２に前記長距離無線通信により遠隔始動信号を送信するリモコンである。しかし、この装置はリモコン４３を所持携行しなければならので、リモコン４３の落下よる破損、置き忘れによる紛失が多いという欠点があった。
【０００３】
また、最近の車両遠隔始動装置として、特開２０１３−２３９９６９号公報に開示されたような構成のものがある。これは、これまでの車載機にスマートフォンと同様の通信機能を有する通信ユニットを接続しておく。そして、ユーザーが所有するスマートフォンから公衆回線を介して前記通信ユニットに遠隔始動信号を含む信号波を送り、これを上記車載機でエンジン始動開始に必要な信号波に変換してエンジンを始動させる。しかし、この装置も前記リモコンと同様に、スマートフォンの落下、紛失に加えて、車載機にスマートフォンと同様の通信機能を有する通信ユニットを設置するため、高価になるという欠点がある。
【先行技術文献】
【特許文献】
【０００４】
【特許文献１】特開２０１３−２３９９６９号
【発明の概要】
【発明が解決しようとする課題】
【０００５】
これまでの車両遠隔始動装置を操作するのに使われてきた長距離無線通信で遠隔始動信号を送受信するリモコンに代えて、所持しやすい、忘れにくい、落としにくい等の特長を有するウェアラブル情報端末器を使用できるようにする。その情報端末による短距離無線通信の遠隔始動信号を中継器によって、長距離無線通信の遠隔始動信号に変換することにより、従来の車載機でも車両遠隔操作ができるようにする。
【課題を解決するための手段】
【０００６】
車両エンジンの遠隔始動信号を短距離無線通信によって発信可能な情報端末と、上記短距離無線通信による遠隔始動信号の受信部と、当該受信部で受信した上記遠隔始動信号を長距離無線信号に変換する変換部と、上記長距離無線信号に変換した遠隔始動信号を長距離無線通信で発信する発信部と、を有する中継器と、車両エンジンの始動回路に接続されるとともに、上記長距離無線通信による遠隔始動信号の受信部と、当該受信部で受信した上記遠隔始動信号に基づき、車両エンジンを始動可能にする手段を有する車両遠隔始動装置において、上記情報端末が、身体に装着可能に構成されていることを特徴とする、ウェアラブル情報端末器を用いる。
【発明の効果】
【０００７】
操作用の情報端末を無くしたり、落としたりする恐れが少ない。
情報端末により遠隔始動操作を行えるので、これまでのリモコンを別に所持する必要がない。
長距離無線通信を用いて操作する従来の遠隔始動装置の車載機を変更することなく、リモコンをウェアラブル情報端末器に変更し、情報端末側の近くに中継器を接近させることにより、従来設置済の車両遠隔始動装置の一部をそのまま利用することができ、経済的である。
【図面の簡単な説明】
【０００８】
【図１】本発明に係るウェアラブル情報端末器を用いた車両遠隔始動装置の実施例を示すブロック構成図。
【図２】本発明に使用する短距離無線通信と長距離無線通信の中継器のブロック構成図。
【図３】本発明に用いるウェアラブル情報端末器の一例の外観図。
【図４】従来の車両遠隔始動装置のブロック構成図。
【図５】図１のウェアラブル情報端末器と中継器、当該中継器と車両遠隔始動装置の間における通信方式の実施例を示すブロック構成図。
【図６】図１のウェアラブル情報端末器と中継器との間に別の情報端末を介在させた実施例を示すブロック構成図。
【発明を実施するための形態】
【実施例１】
【０００９】
図１は本発明に係るウェアラブル情報端末器を用いた車両遠隔始動装置の実施例を示すブロック構成図である。同図において、１１は車両エンジンの遠隔始動信号を短距離無線通信（例えば２．５ＧＨｚ周波数帯による短距離無線通信）によって発信可能な情報端末である。また、１２は、図２に示すように、上記短距離無線通信による遠隔始動信号の受信部１２１と、当該受信部１２１で受信した上記遠隔始動信号を長距離無線信号（例えば４００ＭＨｚ周波数帯による無線信号）に変換する変換部１２２と、上記長距離無線信号に変換した遠隔始動信号を長距離無線通信で発信する発信部１２３と、を有する中継器である。さらに、図１において、１３は車両エンジンの始動回路に接続されるとともに、上記長距離無線通信による遠隔始動信号の受信部と、当該受信部で受信した上記遠隔始動信号に基づき、車両エンジンを始動可能にする手段を有する車載機である。本発明は、このような構成において、上記情報端末１１を例えば図３に示すような腕時計型のウェアラブル情報端末器１１０をもって構成するものである。なお、上記情報端末１１は、車両エンジンの遠隔制御信号の制御用ソフトウェアを外部から取得する手段を有する。すなわち、図３に示すように、車両エンジンの遠隔始動信号を発受信するアプリケーションソフト１１１をインストールすることができる。
【実施例２】
【００１０】
上記実施例１では、情報端末１１から中継器１２を介して車両エンジンを始動可能にする車載機１３に遠隔始動信号を送信する構成を示したが、車両エンジンが始動し、あるいは始動しない場合にその状態を情報端末に返信するようにするために、図１に示した通信経路を双方向性にすることもできる。この場合は、図２に示すように、中継器１２に上記長距離無線通信による遠隔始動信号の受信部１２４と、当該受信部１２４で受信した上記遠隔始動信号を短距離無線信号に変換する変換部１２５と、上記短距離無線信号に変換した遠隔始動信号を発信する発信部１２６を設けておけばよい。
【００１１】
ウェアラブル情報端末器として、図３のような腕時計型のものを示したが、手のひらで保持することなく身体に装着可能な構造をなす端末であれば、その装着位置は実施例に限定されることは無く、例えば眼鏡型などにすることもできる。
【実施例３】
【００１２】
本発明における典型的な実施例は、図５に示すように、ウェアラブル情報端末器１１と中継器１２との間の通信を行う手段が、たとえばBluetooth（登録商標）のような短距離無線通信であり、中継器１２と車両遠隔始動装置１３との間の通信を行う手段が特定小電力通信のような長距離無線通信であることを特徴としている。このような通信方式を使用することにより、中継器を含む通信機器・制御機器の動作を確実に行うことができる。
【実施例４】
【００１３】
図６の実施例は、車両エンジンの遠隔始動信号を短距離無線通信によって発信可能なウェアラブル情報端末器１１と、当該ウェアラブル情報端末器１１からの短距離無線通信に基づいて遠隔始動信号を短距離無線通信により発信可能な第２の情報端末１４と、上記短距離無線通信による遠隔始動信号の受信部と、当該受信部で受信した上記遠隔始動信号を長距離無線信号に変換する変換部と、上記長距離無線信号に変換した遠隔始動信号を長距離無線通信で発信する発信部と、を有する中継器１２と、車両エンジンの始動回路に接続されるとともに、上記中継器１３からの長距離無線通信による遠隔始動信号の受信部と、当該受信部で受信した上記遠隔始動信号に基づき、車両エンジンを始動可能にする手段を有することを特徴とする。
このような構成にすると、車両エンジンの始動信号を短距離無線信号により上記中継器１２に発信可能な情報端末１４を複数台用いることができる。また、車両エンジンの始動信号を短距離無線信号により上記第２の情報端末１４に発信可能なウェアラブル情報端末器を複数台用いることもでき、複数人での利用が可能となる。
【産業上の利用可能性】
【００１４】
時計型、眼鏡型に限らず、様々な型のウェアラブル情報端末を用いるとともに、自動車のみならず車両全般の遠隔始動装置にもちいることができる。
【符号の説明】
【００１５】
１１：情報端末
１２：中継器
１３：車載機
１４：第２の情報端末
４１：長距離無線通信受信部
４２：車載機
４３：リモコン
１１０：ウェアラブル情報端末
１１１：アプリケーションソフト
１２１：短距離無線通信による遠隔始動信号の受信部
１２２：遠隔始動信号を長距離無線信号に変換する変換部
１２３：遠隔始動信号を長距離無線通信で発信する発信部
１２４：長距離無線通信による遠隔始動信号の受信部
１２５：遠隔始動信号を短距離無線信号に変換する変換部
１２６：短距離無線信号に変換した遠隔始動信号を発信する発信部
【図１】
2015216634.tif 000003
【図２】
2015216634.tif 000004
【図３】
2015216634.tif 000005
【図４】
2015216634.tif 000006
【図５】
2015216634.tif 000007
【図６】
2015216634.tif 000008